(57)【特許請求の範囲】
【請求項１】
スピーカ外部との電気的接続を行う接続ケーブルを挿入するための孔を有する接続端子を備え、
前記接続端子はその軸線がスピーカ円周の接線方向に沿って配置され、且つスピーカフレームからスピーカ径方向の外側に突出しないように該スピーカフレームの凹み部に設けられ、
該凹み部には、前記接続ケーブルの挿入時の先端を該凹み部の中で案内する傾斜壁面を備え、
該傾斜壁面は、当該スピーカ装置の中心線に対して略４５度である、
ことを特徴とするスピーカ装置。
【請求項２】
前記接続端子は陰極と陽極とがスピーカ中心を挟んで略反対側に配置されたことを特徴とする請求項１に記載のスピーカ装置。
【請求項３】
前記接続端子は、前記孔を有する内軸と、該内軸を覆ってスライドするとともに前記孔と連通可能な外孔を有する操作部と、を有するプッシュタイプの構成であることを特徴とする請求項１または２に記載のスピーカ装置。
【請求項４】
スピーカ外部との電気的接続を行う接続ケーブルを挿入するための孔を有する接続端子を備え、
前記接続端子はその軸線がスピーカ円周の接線方向に沿って配置され、且つスピーカフレームからスピーカ径方向の外側に突出しないように該スピーカフレームの凹み部に設けられ、
前記接続端子のスピーカ外周側には、当該接続端子に接続された前記接続ケーブルの先端がスピーカ外周側へはみ出すのを防止する係止壁が設けられたことを特徴とするスピーカ装置。
【請求項５】
前記係止壁は、前記凹み部の外壁を構成するように設けられたことを特徴とする請求項４に記載のスピーカ装置。
【請求項６】
前記接続ケーブルを挿入する向きを案内する案内マークが設けられていることを特徴とする請求項１〜５のいずれかに記載のスピーカ装置。
【請求項７】
前記案内マークは前記孔の方向に向いた矢印であることを特徴とする請求項６に記載のスピーカ装置。
【請求項８】
前記案内マークは前記孔に向かった略矢印マークにて構成され且つ前記凹み部もしくはその近傍に設けられたことを特徴とする請求項６または７に記載のスピーカ装置。
【請求項９】
前記凹み部は、前記接続端子の先端面側に親指の進入を可能にするスペースを有し、凹み部の接続基部外側には、人差し指が掛けられる外壁面が設けられたことを特徴とする請求項１〜８のいずれかに記載のスピーカ装置。
【請求項１０】
磁気回路の駆動方向に沿って同軸に配置した振動板と駆動部材とを備え、
前記振動板及び前記駆動部材の外周部が、それぞれのエッジを介してフレーム上の振動板支持部に固定されると共に、
前記振動板の内周部が前記駆動部材に接合し、前記駆動部材の内周部がボイスコイルボビンに固定され、
前記振動板及び前記駆動部材と前記フレームとで囲まれた空間が密閉され、
前記空間内の気体のバネ性により前記ボイスコイルボビンを介して振動系が支持されることを特徴とする請求項１〜９のいずれかに記載のスピーカ装置。
【請求項１１】
磁気回路と前記接続端子とがスピーカ平面方向にほぼ並ぶように配置された薄型スピーカであることを特徴とする請求項１〜１０のいずれかに記載のスピーカ装置。
【発明の詳細な説明】
【技術分野】
【０００１】
本発明は、スピーカ装置に関するものである。
【背景技術】
【０００２】
図１は、従来の一般的な動電型のスピーカ装置の構成を示したものである。
このスピーカ装置１は、磁気回路３と、この磁気回路３が後部に取り付けられたフレーム５と、外周のロール状のエッジ７がフレーム５の前部の振動板支持部５ａに固定されたコーン状の振動板９と、円筒状のボイスコイルボビン１１に巻回されたボイスコイル１２とを備えた構成である。
【０００３】
磁気回路３は、円板状のプレート１５ａの中心に円筒状のセンターポール１５ｂが突設された構造のヨーク１５と、センターポール１５ｂの外周に遊嵌するリング状のマグネット１６と、プレート１５ａとの間にマグネット１６を挟み込むようにセンターポール１５ｂの先端側に遊嵌して装備されたリング状のトッププレート１７とを有して構成されている。
トッププレート１７の内周とセンターポール１５ｂとの間の隙間が、ボイスコイル１２を配置する磁気ギャップ１９として構成されている。
【０００４】
振動板９は、中心に、ボイスコイルボビン１１を挿通させる開口部９ａが形成されている。振動板９の外周縁に接合されたエッジ７は、該エッジ７の外周に装備された取付用フランジ部７ａが振動板支持部５ａに貼着されたリング状のガスケット２１と振動板支持部５ａとの間に挟まれた形態で、振動板支持部５ａに固定される。
また、開口部９ａを形成している振動板９の内周部９ｂは、開口部９ａに挿通されたボイスコイルボビン１１の外周に接着等により固定される。
また、このような振動板９の中央部には、ダストキャップ２８が貼着されている。このダストキャップ２８は、ボイスコイルボビン１１の前方を覆って、磁気ギャップ１９への塵埃等の進入を防止する。
【０００５】
円筒状のボイスコイルボビン１１は、軸方向に移動自在に、センターポール１５ｂの外周に遊嵌すると共に、軸方向の移動が規制されるように、ダンパ２５を介してフレーム５に弾性支持される。
通常、ダンパ２５としては、ボイスコイルボビン１１に対して同心状に蛇腹構造を形成したものが普及している。
ダンパ２５は、外周縁がフレーム５のダンパ支持部５ｂに固定されると共に、内周部がボイスコイルボビン１１の外周に固定されて、ボイスコイルボビン１１の半径方向の変位を規制し、且つ、振動板９の駆動時には、蛇腹の変形によって振動エネルギーを吸収し、振動板９の制振を行う。
【０００６】
フレーム５は、通常、振動板支持部５ａとダンパ支持部５ｂとの間に、スピーカ円周方向に沿って適宜間隔で形成されたフレーム開口５ｃが複数設けられた構造とされる。このフレーム開口５ｃは、振動板９の駆動時の背圧によって発生する空気流を逃がす通気孔として機能する。
また、このフレーム開口５ｃは前述の通気孔の機能だけでなく、フレーム５の軽量化にもなっている。
【０００７】
以上のスピーカ装置１は、アンプからの正負の２本の接続ケーブル８，８とそれを接続する一対の入力端子４，４、図示せぬ錦糸線を介して、音響信号がボイスコイル１２に入力されると、それによるボイスコイルボビン１１の往復振動によって振動板９を振動させて、音響再生をする。
この接続端子４，４は、先端を矢印の方向に押すことにより貫通した接続開口に接続ケーブル８，８の先端を差し込み、先端の押圧を解除することで接続が完了するものである。
ところで、接続ケーブル８，８をスピーカ装置１に接続する際、接続用工具や他のパーツが必要ないことや、接続ケーブル８，８の太さの許容範囲が広いこと、更には外観的に優れている等から図示のようなプッシュタイプの接続端子４，４が好まれる（例えば、特許文献１参照）。
【０００８】
一方、最近の車載のオーディオシステムでは重低音再生用のサブウーファー等の大口径のスピーカ装置を使用する例が増えている。
このような大口径のスピーカ装置を車載用として設計する際に、車載用スピーカキャビネットや車両ドアの内側などスピーカ装置のキャビネットとして利用する箇所の奥行き寸法が限られているため、スピーカ装置の薄型化が重要課題とされている。
【０００９】
ところが、上記のようにボイスコイルボビン１１の弾性支持をダンパ２５によって行う従来のスピーカ装置１では、振動板９と磁気回路３との間にダンパ２５を配置する空間を確保しなければならず、ダンパ２５の設置空間の確保のために、スピーカ装置の軸方向寸法の短縮が困難で、スピーカ装置の薄型化のネックとなる。
【００１０】
また、ダンパ２５は、通常エッジ７よりもスティフネスが大きいため、長期使用による機械疲労がエッジ７よりも早期に起こり、制御性能の低下が故障の原因となる虞があった。
更に、ダンパ２５上の隣接する蛇腹間の振動伝搬時における蛇腹の変形によって特異な振動や擦れ音が発生し、それが逆にボイスコイル１２や振動板９の振動に影響を及ぼして、音質を濁してしまう可能性もあった。これらの問題に対して提案がなされている（例えば、特許文献２参照）。
【特許文献１】実開昭５８−６５７６７号公報
【特許文献２】特開２００５−１９１７４６号公報
【発明の開示】
【発明が解決しようとする課題】
【００１１】
上述のように、比較的太い接続ケーブルに対応できる前掲の接続端子を採用し、太く曲がりにくい接続ケーブル８，８を用いた場合には、比較的大きな配線スペースが必要になってくる。ところが、薄型化したスピーカ装置を取り付けるスピーカキャビネットの内側や車両ドアの内側などの奥行きに余裕が無いため、取り付けたスピーカ装置の背面の空間が狭くなってしまい接続ケーブル８，８の引き出しスペースの確保もむずかしくなってくる。
また、接続ケーブルの接続操作が、例えば、接続端子の一端を押圧してコード先端部分を開口に挿入して押圧を解除するきわめて簡単で確実なプッシュタイプの接続端子の採用が望ましいが、このタイプの接続端子は、一般にそのサイズが大きく薄型のスピーカ装置に適用するには困難であった。
【００１２】
本発明が解消しようとする課題としては、薄型化した従来のスピーカ装置において、プッシュタイプの接続端子を採用して比較的太い接続ケーブルを用いることにより、接続ケーブルを繋いだ状態で配線スペースが大きくなってしまうという問題を、曲げやすい細い接続ケーブルを用いることなく解決することが一例として挙げられる。
【課題を解決するための手段】
【００１３】
請求項１に係るスピーカ装置は、スピーカ外部との電気的接続を行う接続ケーブルを挿入するための孔を有する接続端子を備え、前記接続端子はその軸線がスピーカ円周の接線方向に沿って配置され、且つスピーカフレームからスピーカ径方向の外側に突出しないように該スピーカフレームの凹み部に設けられ、該凹み部には、前記接続ケーブルの挿入時の先端を該凹み部の中で案内する傾斜壁面を備え、該傾斜壁面は、当該スピーカ装置の中心線に対して略４５度である、ことを特徴とする。
【発明を実施するための最良の形態】
【００１４】
この発明は、スピーカ外部との電気的接続を行う接続端子を備え、この接続端子はその軸線がスピーカ円周の接線方向に沿って配置され、且つスピーカフレームからスピーカ径方向の外側に突出しないように構成されたスピーカ装置を、その発明の最良の実施形態とする。
この構成によれば、スピーカを薄型にしたとき、すなわちスピーカフレームが扁平な構成となった場合でも、接続端子がスピーカ裏面側に突出することが無くなり、スピーカの薄型化を阻害することがない。
また、接続端子の軸線がスピーカ円周方向（横方向）に配置されるので、接続端子の径を太く且つ長くした大型にすることが容易になり、この結果、接続ケーブルに太い線を用いることができ、音響性能を維持しやすい構成を採用することが容易となる。
【００１５】
本発明の実施形態においては、接続端子は陰極と陽極とがスピーカ中心を挟んで略反対側に配置された構成を採用することができる。このような構成によれば、接続端子の配置が一箇所の集中せずに二箇所に分散することができ、比較的大きな接続端子を設けることができる。
【００１６】
本発明の実施形態においては、接続端子がスピーカ裏面側においてスピーカフレームから突出しないように該スピーカフレームの凹み部に設けられた構成となっている。
【００１７】
本発明の実施形態においては、接続された接続ケーブルがスピーカの背面に沿って斜め内側に向くように、接続端子が形成されることが望ましい。さらに、接続ケーブルの挿入時の先端を案内する略４５度の傾斜壁面を備えていると良い。この構成によれば、接続ケーブルをスピーカ背面の内側に向かって斜めに引き出すことができ、スピーカの背面に沿って這わせるように配線することができるので、接続ケーブルの太さ程度のクリアランスがあれば、背面方向に余裕のない空間にスピーカ装置を設置することができる。
【００１８】
本発明の実施形態においては、接続端子は接続ケーブルを挿入接続するための孔を有する内軸と該内軸を覆ってスライドするとともにこの孔と連通可能な外孔を有する操作部を有するプッシュ型の構成を採用することができる。また、孔及び外孔の向きは、接続ケーブルがスピーカの背面に沿って斜め内側に向くように形成されていることが望ましい。この構成によれば、操作部を押す操作により接続ケーブルを孔に差し込むといいう簡単な操作によりケーブル接続が簡単に行うことができる。
【００１９】
本発明の実施形態においては、接続端子のスピーカ外周側には、当該接続端子に接続された接続ケーブルの先端をスピーカ外周側へはみ出すのを防止する係止壁が設けられた構成を採用することができる。このような構成によれば、接続ケーブルを挿入したときに、その先端が所定の位置で確実にストップされるので確実な接続が保証され、また、接続ケーブルの先端が接続端子からはみ出るのを防止することができ、接続ケーブルのショートを防止することができる。また、係止壁は、凹み部の外壁を構成するように設けることができる。
【００２０】
本発明の実施形態においては、接続ケーブルを挿入する向きを案内する案内マークが設けられている。また、本発明の実施形態においては、この案内マークは、例えば、孔の方向に向いた矢印とすることができる。この案内マークは孔に向かった略矢印マークにて構成され且つ凹み部もしくはその近傍に設けられた構成とすることができる。
このような構成によると、接続ケーブルの挿入方向や位置の接続操作がこの案内マークによって案内されて、操作勝手が極めて容易になる。
【００２１】
また、本発明の実施形態においては、案内マークが形成された部分は接続ケーブルの挿入時の先端を案内する傾斜壁面に構成することができる。この構成によると、接続ケーブルを孔に挿入するときに、そのコード先端部分を傾斜壁面に沿って滑らせるように該壁面をガイド壁として利用でき、接続ケーブルの取り付け操作を向上させることができる。また、接続後の接続ケーブルの配線向きのガイド壁面として機能する。
【００２２】
本発明の実施形態においては、凹み部は、接続端子の先端面側に親指の進入を可能にするスペースを有し、凹み部の接続基部外側には、人差し指が掛けられる先端面とほぼ平行な外壁面が設けられた構成とすることができる。この構成によれば、接続端子の先端と外壁面とを指で挟むようにして、接続端子の先端を押すような操作が可能となり、例えば、この接続端子が上述のプッシュ型のような構成の場合、接続ケーブルの接続操作性を良くすることができる。
【００２３】
また、本発明の実施形態においては、前述の磁気回路と接続端子とがスピーカ平面方向にほぼ並ぶように配置された薄型スピーカに適用することができる。このような構成によれば、接続端子がスピーカ平面方向に伸びた構成とすることによって、スピーカ薄型化を更に促進することができる。
【００２４】
また、本発明の実施形態においては、前述の磁気回路の駆動方向に沿って同軸に配置した第１の振動板と駆動部材とを備え、この第１の振動板及び駆動部材の外周部が、フレーム上の振動板支持部に固定されると共に、この第１の振動板及び駆動部材の内周部が、接合してボイスコイルボビンに固定され、第１の振動板及び駆動部材とフレームとで囲まれた空間が密閉され、空間内の気体のバネ性によりボイスコイルボビンを介して振動系が支持される構成のものに適用することができる。
【００２５】
以下、本発明に係るスピーカ装置の実施の形態について、具体的な実施例を挙げ、図面を参照して詳細に説明する。
【実施例１】
【００２６】
図２は実施例１に係るスピーカ装置の斜視図、図３は実施例１に係るスピーカ装置の平面図、図４は実施例１に係るスピーカ装置に用いた接続端子の拡大斜視図、図５は実施例１に係るスピーカ装置の縦断面図、図６は実施例１に係るスピーカ装置の要部拡大斜視図、図７は実施例１に係るスピーカ装置における接続端子の操作を示すための部分平面図である。
【００２７】
図２、図３、図４および図５に示すように、実施例１のスピーカ装置３０は、スピーカ中心線３７を中心としたほぼ同心形の構成を有しており、磁気回路３３と、この磁気回路３３が後部に取り付けられたスピーカフレーム３５と、スピーカ駆動方向に向かって同軸に配置された第１の振動板４１及び駆動部材４２（以下、ドライブコーンという）と、円筒状のボイスコイルボビン４５に巻回されたボイスコイル４６とを備えた構成である。
【００２８】
磁気回路３３は、円板状のプレート５１ａの中心に円筒状のセンターポール５１ｂが突設された構造のヨーク５１と、センターポール５１ｂの外周に遊嵌するリング状のマグネット５３と、プレート５１ａとの間にマグネット５３を挟み込むようにセンターポール５１ｂの先端側に遊嵌されたリング状のトッププレート５５とから構成されている。トッププレート５５の内周とセンターポール５１ｂとの間の隙間が、ボイスコイル４６を配置する磁気ギャップ５７となっている。
【００２９】
スピーカフレーム３５は浅底の椀形で、底板部３５ａの内面はヨーク５１のプレート５１ａを載せた状態で、磁気回路３３が適宜取り付けられている。このスピーカフレーム３５には磁気回路３３を挟むような位置に、正極・陰極の接続端子３１，３１が別々に設けられている。そして、磁気回路３３と接続端子３１，３１とがスピーカ平面方向にほぼ並ぶように配置された薄型に構成されている。このように接続端子３１，３１がスピーカ平面方向に伸びた構成とされることにより、スピーカ装置３０の薄型化を促進することができる。
【００３０】
実施例においては、例えばアンプなどのスピーカ外部との電気的接続を行う接続端子３１，３１は、その軸線Cがスピーカ円周の接線方向に沿って配置され、且つスピーカフレーム３５からスピーカ径方向の外側に突出しないように構成されている。
【００３１】
このような構成は、スピーカ装置３０が本実施例のように薄型になったときに、すなわちスピーカフレーム３５が扁平な構成となった場合でも、接続端子３１，３１がスピーカ裏面側に突出することが無く、スピーカ装置３０の薄型化を促進することができる。
また、接続端子３１，３１の軸線Ｃがスピーカ円周方向（横方向）に配置された構成は、接続端子３１，３１の径を太く且つその長さを長くした大型にできる。この結果、接続ケーブル８，８に太い線を用いることができ、音響性能を維持しやすい構成とすることができる。
【００３２】
本実施例においては、接続端子３１，３１は陰極と陽極とがスピーカ中心を挟んで略反対側に配置され構成であることにより、接続端子３１，３１の配置が一箇所の集中せずに二箇所に分散され、接続端子３１，３１の大型化を容易にしている。
【００３３】
なお、接続端子３１，３１の外径寸法としては、好ましくは、例えば皮膜外径６ｍｍ（皮膜無し外径が約４ｍｍ）のものを用いると良い。
本実施例においては、接続端子３１，３１がスピーカ裏面側にスピーカフレーム３５から突出しないように該スピーカフレーム３５の凹み部３２に設けられた構成となっている。
【００３４】
また、このスピーカフレーム３５には、スピーカ駆動方向に沿って離れた位置に、第１の振動板４１の振動板支持部３５ｃとドライブコーン４２の振動板支持部３５ｄがそれぞれ設けられている。
【００３５】
２つの振動板支持部３５ｃ，３５ｄ間の周壁３５ｂは開口が一切設けられない密閉壁である。一方、振動板支持部３５ｃ，３５ｄと、磁気回路３３を保持する底板部３５ａとは連結部２３によって適宜連結されている。この連結部２３は、スピーカ円周方向に沿って適宜間隔で開口３５ｆを複数個形成するように構成されている。なお、スピーカフレーム３５の振動板支持部３５ｃの背面は、スピーカキャビネットのバッフル７１に密着固定するフランジ面として機能する。
【００３６】
第１の振動板４１及びドライブコーン４２は、コーン型の振動板であり、その外周部であるエッジ６１，６２は、スピーカフレーム３５上の振動板支持部３５ｃ，３５ｄに固定されると共に、その内周部４１ｂ，４２ｂは、接合してボイスコイルボビン４５に固定される。
【００３７】
エッジ６１，６２は、振動板本体であるコーン紙から伝わった振動を減衰させるため、内部損失の高い材質の部材を使用することが好ましい。よって、例えば、コーン紙とは異なる材質（コーン紙よりも内部損失の高い材質）の部材を接合してエッジ６１，６２とするとよい。
【００３８】
スピーカ装置３０の前面側に配置される第１の振動板４１は、中央部の開口の径が、スピーカ装置３０の前面側に配置されたドライブコーン４２の開口の径よりも大きく設定されていて、エッジ６１には振動板間の密閉空間６７の外側（スピーカ装置の前面側）に膨らむ膨出部６１ａが設けられている。
【００３９】
また、第１の振動板４１の背部に配置されるドライブコーン４２は、中央部の開口の径がボイスコイルボビン４５の外径に略等しく設定されており、エッジ６２には振動板間の密閉空間６７の外側（スピーカ装置の背面側）に膨らむ膨出部６２ａが設けられている。なお、膨出部６１ａ及び膨出部６２ａの凹凸の向きは、図５に示すような向きに限定するものではない。
【００４０】
第１の振動板４１及びドライブコーン４２のそれぞれのエッジ６１，６２は、前述のスピーカフレーム３５の２つの振動板支持部３５ｃ，３５ｄにそれぞれ固定される。
【００４１】
また、第１の振動板４１のエッジ６１は、その外周部に連設された取付用フランジ部６１ｂがガスケット６５と振動板支持部３５ｃとで挾持されて、振動板支持部３５ｃに固定されている。
【００４２】
また、第１の振動板４１の内周部４１ｂは、その背後に位置しているドライブコーン４２の上に重ねられた状態でドライブコーン４２に接合されている。
【００４３】
また、この第１の振動板４１の中央部には、ダストキャップ２８が貼着装備される。このダストキャップ２８は、ボイスコイルボビン４５の前方を覆って、磁気ギャップ５７への塵埃等の進入を防止する。
【００４４】
そして、ドライブコーン４２の内周部４２ｂを、ボイスコイルボビン４５の外周に適宜接着剤によって接着固定することで、第１の振動板４１及びドライブコーン４２の内周部４１ｂ，４２ｂが接合され、ボイスコイルボビン４５に固定された構造となっている。
【００４５】
円筒状のボイスコイルボビン４５は、軸方向に移動自在に、センターポール５１ｂの外周に遊嵌すると共に、その外周に接合されたドライブコーン４２によって、半径方向及び軸方向の位置決めが成されている。
【００４６】
本実施例の場合、第１の振動板４１及びドライブコーン４２と、スピーカフレーム３５とで囲まれた振動板間の空間６７は密閉されている。
【００４７】
ボイスコイルボビン４５の軸方向変位によって第１の振動板４１及びドライブコーン４２が駆動される時、図５に示すように、振動板間の密閉空間６７に封入されている空気などの気体が第１の振動板４１及びドライブコーン４２の変位及びエッジ６１ａ、６２ａの変位により圧迫されて、空気バネとしてのバネ性が発揮され、ボイスコイルボビン４５が制御可能に支持されている。
【００４８】
このように本実施例の場合、振動板４１及びドライブコーン４２の後方に、ボイスコイルボビン４５を弾性支持するダンパを装備する必要が無く、ダンパ及びその設置空間の省略によってスピーカ装置の軸方向寸法を短縮して、車載オーディオシステム等で要求されている薄型化のスピーカ装置３０を実現できる。
【００４９】
前述の接続端子３１，３１について詳細に説明する。
この接続端子３１は、図４に示すように、接続端子３１，３１は接続ケーブル８，８を挿入するための孔３１ｃを有する内軸３１ａとこの内軸３１ａを覆ってスライドするとともにこの孔３１ｃと連通可能な外孔３１ｄを有する操作部３１ｂを有するプッシュタイプの構成である。
【００５０】
この内軸３１ａと操作部３１ｂとは、例えば操作部３１ｂに形成された長孔３１ｅと内軸３１ａに突設されたガイド突起３１ｆとの嵌合により操作部３１ｂがその軸線Ｃに沿って移動可能に保持されており、さらに、操作部３１ｂの内側に内装された図示しないバネ部材により接続端子の先端方向（図４における矢印Ｆ１方向）に付勢されている。
【００５１】
また、接続端子３１，３１は、正極と陰極を区別する構成としては、例えば、先端面３１ｇに色違いのステッカーを貼りつけてある。このような構成であれば、接続端子の部品の共通化ができるだけでなく、接続端子の組みこみ時において、極性の表示違いの不良発生を回避できる。
【００５２】
したがって、操作部３１ｂを押す操作（矢印Ｆ２の方向の操作）により、操作部３１ｂが内軸３１ａに対して移動して孔３１ｃと外孔３１ｄとが連通した開口が形成される。この開口に接続ケーブル８の先端部を差し込む（矢印Ｆ３方向）とともに、この押す操作を解除することによりバネ部材の付勢力によって接続ケーブル８の先端が孔３１ｃ及び外孔３１ｄにくわえ込まれて保持される。このような極めて簡単な操作によりケーブル接続を行うことができる。
【００５３】
本実施例においては、５図及び６図に示すように、接続端子３１，３１のスピーカ外周側には、孔３１ｃに対向する位置に接続ケーブル８，８の先端をスピーカ外周側へはみ出すのを防止する係止壁３８が設けられている。この係止壁３８は、凹み部３２の外壁として構成されている。このような構成は、接続ケーブル８を挿入したときに、その先端が所定の位置で確実にストップさせることができ、接続ケーブル８の先端が接続端子３１から大きくはみ出る状態が回避され、例えば接続ケーブル８のショート等を防止することができる。
【００５４】
本実施例においては、接続ケーブル８を挿入する向きを案内する案内マーク７１が設けられている。この案内マーク７１は、例えば、孔３１ｃの方向に向いた矢印や三角マーク等を用いることができる。
また、この案内マーク７１は、孔３１ｃに向かった方向を示すものとして凹み部３２もしくはその近傍に設けられている。
【００５５】
また、本実施例においては、案内マーク７１は、接続ケーブル８の挿入時の先端を案内する傾斜壁面３９に形成されている。この構成によると、接続ケーブル８を孔３１ｃに挿入するときに、接続ケーブル８の挿入方向や位置の接続操作がこの案内マーク７１によって案内されて、更に、コード先端部分を傾斜壁面３９に沿って滑らせるようにガイド壁面として利用できることで、接続ケーブル８の挿入操作性を向上させることができる。
【００５６】
また、この傾斜壁面３９は、スピーカ中心線３７に対してスピーカ軸方向の傾斜角度βとして略４５度の傾斜を有している。なお、この傾斜角度βは任意の角度に設定できるが、例えば０度〜９０度の傾斜角度に設定することができる。また、孔３１ｃ及び外孔３１ｄの向きは、接続ケーブル３１，３１がスピーカの背面に沿って斜め内側に向くように形成されることが望ましい。この構成により、接続ケーブル３１，３１をスピーカ背面の内側に向かって斜めに引き出すことができ、スピーカの背面に沿って這わせるように配線することができるので、接続ケーブル３１，３１の太さ程度のクリアランスがあれば、背面方向に余裕のない空間にスピーカ装置３０を設置することができる。
【００５７】
本実施例においては、凹み部３２は、接続端子３１，３１の先端面３１ｇ側に親指の進入を可能にするスペースを有し、凹み部３２の接続基部外側には、人差し指が掛けられる先端面３１ｇとほぼ平行な外壁面３２ａが設けられた構成となっている。
このため、この先端面３１ｇと外壁面３２ａとの寸法W１は、例えば４０ｍｍ程度に設定されている。また、先端面３１ｇとこの先端面３１ｇに対向する壁部３２ｂとの間隔Ｗ２は比較的大きな人の親指が入る寸法として１３ｍｍ程度に設定されている。よって、図７に示すように、親指の腹の部分が凹み部３２やその下のフレーム部分に接触しながら接続端子３１を押圧できる。
【００５８】
この構成によれば、図７に示すように、接続ケーブル８を接続する際に、接続端子３１の先端面３１ｇを親指８０で押し、人差し指８１の側面を外壁面３２ａにあてがうようにして支えることで、孔３１ｃと外孔３１ｄとを連通させ、この連通した開口に接続ケーブル８の先端を挿入してから、親指８０及び人差し指８１の押圧を解除することで開口に接続ケーブル８をくわえ込むことができる。すなわち、接続ケーブル８をスピーカ装置１に接続する際の接続操作性が極めて良い。
【実施例２】
【００５９】
図８は、本発明に係る実施例２のスピーカ装置の斜視図である。
実施例２のスピーカ装置４０は、実施例１のスピーカ装置３０と基本的な構成は同じであるので、同じ構成部分については同符合をつけて説明を省略する。
【００６０】
図８に示す実施例２は、接続ケーブル８，８をスピーカ側面側より接続する構成となっている点が実施例１とは異なる。すなわち、接続端子３１は孔３１ｃおよび外孔３１ｄがスピーカ側面側に位置しており、実施例１における係止壁３８がない構成で接続ケーブル８，８がスピーカ側面側の外側から差し込むようになっている。
【００６１】
したがって、接続された接続ケーブル８，８は、実施例１の場合のスピーカ裏面側から引き出されるのではなく、図８に示すように、スピーカ側面側から引き出される。この場合、スピーカ装置４０の配置スペースにおいて、実施例１の場合よりもスピーカ厚み方向のスペースが小さくスピーカ側面側のスペースに比較的余裕がある場合に適している。
【００６２】
本発明における接続端子の構成は、前述の実施例１、実施例２のものに限るものではなく、本発明の趣旨に沿って適宜変更できるものである。例えば、プッシュタイプの接続端子ではなく、ねじをねじ込むことで接続ケーブルを取付けるスクリュータイプのものでもよい。
【００６３】
以上、詳述したように、本実施の形態に係るスピーカ装置３０（４０）は、スピーカ外部との電気的接続を行う接続端子３１，３１を備え、接続端子３１，３１はその軸線Ｃがスピーカ円周の接線方向に沿って配置され、且つスピーカフレーム３５からスピーカ径方向の外側に突出しないように構成されたものである。
【００６４】
これによって、スピーカ装置３０（４０）を薄型にしたとき、すなわちスピーカフレーム３５が扁平な構成となった場合でも、接続端子３１，３１がスピーカ裏面側に突出することが無くなり、スピーカ装置３０（４０）の薄型化を阻害することがない。また、接続端子３１，３１の軸線Ｃがスピーカ円周方向（横方向）に配置されるので、接続端子３１，３１の径を太く且つ長くした大型にすることが容易になり、この結果、接続ケーブルに太い線を用いることができ、音響性能を維持しやすい構成を採用することが容易となる。
【図面の簡単な説明】
【００６５】
【図１】従来のスピーカ装置の構造を示す縦断面図である。
【図２】本発明の実施の形態に係る実施例１のスピーカ装置の斜視図である。
【図３】本発明の実施の形態に係る実施例１のスピーカ装置の平面図である。
【図４】本発明の実施の形態に係る実施例１のスピーカ装置における接続端子の拡大斜視図である。
【図５】図３のＡ−Ａ線における縦断面図である。
【図６】本発明の実施の形態に係る実施例１のスピーカ装置の要部拡大斜視図である。
【図７】本発明の実施の形態に係る実施例１のスピーカ装置における接続端子の操作を説明するための概略平面図である。
【図８】本発明の実施の形態に係る実施例２のスピーカ装置の斜視図である。
【符号の説明】
【００６６】
８  接続ケーブル
２３  連結部
３０、４０  スピーカ装置
３１  接続端子
３１ａ  内軸
３１ｂ  操作部
３１ｃ  孔
３１ｄ  外孔
３１ｅ  長孔
３１ｇ  先端面
３２ａ  外壁面
３３  磁気回路
３５  フレーム
３５ａ  底板部
３７  中心軸
３８  係止壁
３９  傾斜壁面
４１  第１の振動板
４１ｂ  （第１の振動板の）内周部
４２  ドライブコーン（駆動部材）
４２ｂ  （ドライブコーンの）内周部
【図１】
0004714565.tif 000002
【図２】
0004714565.tif 000003
【図３】
0004714565.tif 000004
【図４】
0004714565.tif 000005
【図５】
0004714565.tif 000006
【図６】
0004714565.tif 000007
【図７】
0004714565.tif 000008
【図８】
0004714565.tif 000009